(57)【特許請求の範囲】
【請求項１】
走行体のサイドフレームと、
両端に取付け片を有するステップと、
前記サイドフレームの外面に設けられ、前記サイドフレームとの間で、前記ステップの両端の取付け片の各取付け溝を形成するブロックと、
前記取付け溝間における前記ブロックより内側の位置で前記ステップを前記サイドフレームに固定するボルトとを備えたことを特徴とする建設機械の昇降ステップ装置。
【請求項２】
前記ステップは前記ブロック間で前記サイドフレームから外方に突出する突出部を有し、
前記突出部と前記ブロックとの間隔より、前記取付け片の前記ステップ取付け溝への挿入幅を大としたことを特徴とする請求項１に記載の建設機械の昇降ステップ装置。
【請求項３】
前記ブロックは、前記サイドフレームへの固定部と、該固定部に一体的に形成され、前記取付け片を受入れ支持する受け部とで構成したことを特徴とする請求項１に記載の建設機械の昇降ステップ装置。
【請求項４】
前記ブロックは、前記サイドフレームへの固定部と、該固定部に一体的に形成され、前記取付け片を受止めると共に、前記取付け片の端部を覆う受け部とで構成したことを特徴とする請求項１に記載の建設機械の昇降ステップ装置。
【請求項５】
走行体のサイドフレームの外面にステップ取付け用の一対のブロックを溶接し、
前記ブロックと前記サイドフレームとの間に上面開口のステップ取付け溝を形成し、
前記ステップ取付け溝に、ステップの両端に設けた取付け片を上方から嵌め込み、
前記取付け片を、前記サイドフレームに前記ブロック間で前記ブロックより内側の位置でボルトにより固定した
ことを特徴とする建設機械の昇降ステップ装置。
【発明の詳細な説明】
【０００１】
【発明の属する技術分野】
本発明は、油圧ショベル等の建設機械の走行体に取付けられる昇降ステップ装置に関する。
【０００２】
【従来の技術】
油圧ショベル等の建設機械は、走行体上に旋回装置を介して旋回体を設置し、旋回体に運転室と掘削フロント等の作業具を取付けて構成される。このような建設機械において、運転室にオペレータが昇降するため、あるいは保守員等が点検等のために旋回体上に昇降するため、走行体のサイドフレームには足場となるステップが外側に突出するように取付けられる。このようなステップの従来の取付け構造としては、図４（Ａ）に示すように、サイドフレーム１ａにステップ２０を溶接により取付ける構造と、図４（Ｂ）の平面図および図４（Ｃ）の側面図に示すように、サイドフレーム１ａにボルト２１によりステップ２２を取付ける構造とがある。
【０００３】
【発明が解決しようとする課題】
油圧ショベル等の建設機械は、一般土木工事、採石作業等の過酷な状況下で使用されることが多いため、図４（Ｂ）に示すように岩石２３が衝突して変形してしまうことがある。しかし、図４（Ａ）に示すような溶接構造のステップ２０の場合、岩石の衝突により変形しても交換が容易にはできないという問題点がある。
【０００４】
一方、図４（Ｂ）に示すようにボルト２１によりステップ２２を固定する構造においては、ステップ２２が変形しても新品に交換が可能となるという利点がある。しかし岩石２３の衝突によりボルト２１が切断されるとステップ２２も外れる。また、採石場において、ボルト２１やステップ２２が外れて岩石に混入し、これが岩石を細かく砕くクラッシャに投入されると、クラッシャが損傷するおそれがある。
【０００５】
また、溶接またはボルト２１による取付け構造においては、あまりステップ２０、２２を頑丈に構成すると、ステップ２０、２２に岩石２３が衝突した場合、ステップ２０、２２が変形せずに溶接部やボルト２１が破損するので、ステップ２０、２２の強度をあまり上げず、ステップ２０、２２に岩石２３が強く衝突した場合には、ステップ２０、２２が変形するようにしてステップ２０、２２が離脱しないようにしていた。このため、ステップ２０、２２が変形しやすいという問題点があった。
【０００６】
本発明は、このような従来技術の問題点に鑑み、油圧ショベル等の建設機械において、ステップをボルトにより固定する構造を採用する場合、岩石の衝突等によるボルトの切断が防止され、これによりステップの外れが防止される構造の昇降ステップ装置を提供することを目的とする。
【０００７】
また、本発明は、ボルトが外れても、ステップのサイドフレームからの離脱を防止でき、ステップの強度も大として変形しにくくすることができる構造の建設機械の昇降ステップ装置を提供することを他の目的とする。
【０００８】
【課題を解決するための手段】
請求項１の建設機械の昇降ステップ装置は、走行体のサイドフレームと、
両端に取付け片を有するステップと、
前記サイドフレームの外面に設けられ、前記サイドフレームとの間で、前記ステップの両端の取付け片の各取付け溝を形成するブロックと、
前記取付け溝間における前記ブロックより内側の位置で前記ステップを前記サイドフレームに固定するボルトとを備えたことを特徴とする。
【０００９】
このように、ボルトがブロックにより内側の位置でサイドフレームに固定されてボルトが外側に突出しない保護構造とすることにより、岩石のボルト頭部への衝突が防止され、ステップのサイドフレームからの離脱が防止される。
【００１０】
請求項２の建設機械の昇降ステップ装置は、前記ステップは前記ブロック間で前記サイドフレームから外方に突出する突出部を有し、
前記突出部と前記ブロックとの間隔より、前記取付け片の前記ステップ取付け溝への挿入幅を大としたことを特徴とする。
【００１１】
このような構造とすることにより、ステップをボルトにより固定しない状態でもステップがブロックから外れず、ボルトが切断されたり外れたりした場合でもステップのサイドフレームからの離脱が防止される。
【００１２】
請求項３の建設機械の昇降ステップ装置は、請求項１において、前記ブロックは、前記サイドフレームへの固定部と、該固定部に一体的に形成され、前記取付け片を受入れ支持する受け部とで構成したことを特徴とする。
【００１３】
請求項４の建設機械の昇降ステップ装置は、請求項１において、前記ブロックは、前記サイドフレームへの固定部と、該固定部に一体的に形成され、前記取付け片を受止めると共に、前記取付け片の端部を覆う受け部とで構成したことを特徴とする。
【００１４】
請求項５の建設機械の昇降ステップ装置は、走行体のサイドフレームの外面にステップ取付け用の一対のブロックを溶接し、
前記ブロックと前記サイドフレームとの間に上面開口のステップ取付け溝を形成し、
前記ステップ取付け溝に、ステップの両端に設けた取付け片を上方から嵌め込み、
前記取付け片を、前記サイドフレームに前記ブロック間で前記ブロックより内側の位置でボルトにより固定したことを特徴とする。
【００１５】
【発明の実施の形態】
図１は本発明による昇降ステップ装置を適用する建設機械の一例である油圧ショベルの一実施の形態を示す側面図である。図１において、１はクローラ式走行体であり、１ａはそのサイドフレームである。３は該走行体１上に旋回装置２を介して設置された旋回体である。４は本発明によりサイドフレーム１ａに設けられた昇降ステップ装置である。
【００１６】
図２（Ａ）は前記昇降ステップ装置４の取付け構造を示す一部断面平面図、図２（Ｂ）はその正面図である。５はサイドフレーム１ａに溶接されたブロックであり、ステップ６の両端を取付けのために該ブロック５は一対設けられる。該ブロック５はサイドフレーム１ａとの間に上面開口のステップ取付け溝７を形成するものである。ステップ６は中央に設けた外側への突出部６ａの両側に左右に延び出した取付け片６ｂを有する。
【００１７】
該ステップ６は、左右の取付け片６ｂを前記ステップ取付け溝７に上方から嵌合し、ボルト９を取付け片６ｂに設けた孔６ｃに挿通してサイドフレーム１ａに設けたねじ孔１ｂにねじ込むことにより固定される。
【００１８】
前記ボルト９の頭部９ａは、突出部６ａとブロック５との間にあり、ブロック５より外側に突出しない構造とすることにより、ボルト９への岩石等の衝突による切断が防止される。このため、ボルト９の切断によるステップ６の離脱が防止される。
【００１９】
また、ボルト９によるステップ６の固定を行わない状態でステップ６が左右に移動できる範囲Ｗ（これはステップ６の突出部６ａとブロック５との間隔にほぼ等しい）より、取付け片６ｂのステップ取付け溝７への挿入幅Ｌを大とすることにより、ボルト９が万一外れても、ステップ６がブロック５から外れることがなく、ステップ６が岩石とともにクラッシャに投入されてクラッシャを破損するおそれがなくなる。また、図２（Ｂ）のように、ブロック５の上辺５ａが取付け片６ｂの上辺より上方に突出する構造とすることによって、ステップ６がさらに外れにくくなる。このように、ステップ６が外れないため、たとえ岩石の衝突などにより多少変形しても足場として利用できる。
【００２０】
また、単なるボルトによる取付けまたは溶接による構造においては、あまりステップ６を頑丈に構成すると、ステップ６に岩石が衝突した場合、ステップ６が変形せずにボルトや溶接部が破損するので、ステップ６の強度をあまり上げず、ステップ６に岩石が衝突した場合には、ステップ６が変形するようにしてステップ６が離脱しないようにしていたが、本実施の形態によれば、ボルト９が切断されてもステップ６が外れないので、ステップ６を頑丈にして岩石の衝突によっても変形しないように構成することができ、さらに長期使用に耐え得るものが提供できる。
【００２１】
また、従来はステップの溶接あるいはボルトによる取付けの際、重量のあるステップを手で支えておく必要があったが、本実施の形態においては、ステップ６はブロック５で支えられるため、ステップ６の取付けの際に手でステップ６を支えておく必要がなく、ステップ６の取付けが容易となる。このような取付けの容易化は 、前述の理由からステップ６を頑丈に作製して重量の大きなものとした場合、特に重要な効果である。
【００２２】
図３（Ａ）は本発明の他の実施の形態を示す一部断面平面図、図３（Ｂ）はその正面図である。本実施の形態において、サイドフレーム１ａに溶接するブロック１１よりボルト９の頭部９ａが外側に突出しない構造は前記実施の形態と同じである。異なる点は、ステップ１２の抜け止め構造である。すなわち、本実施の形態においては、サイドフレーム１ａとこれに溶接する固定部を有するブロック１１との間に、前記固定部と一体をなし、取付け片１２ｂを受入れて支持する受け部となる上面開口のステップ取付け溝１３を、ステップ１２の反対側が閉塞された形状とする。そして、ステップ１２の突出部１２ａの左右に延出させて設けた取付け片１２ｂの端部をステップ取付け溝１３の端部１３ａで受け、この取付け溝１３内に取付け片１２ｂを挿入して取付け片１２ｂの端部を覆うことにより、ステップ１２の左右の移動を阻むように構成し、これによりボルト９が万一外れても、ステップ１２が左右方向に抜けないようにしている。
【００２３】
本実施の形態においても、前記実施の形態と同様に、ステップ１２の外れ防止効果、ステップ１２の強度の向上、ステップ１２の取付けの容易化の効果を得ることができる。
【００２４】
さらに、本実施の形態においては、ブロック１１の外面１１ａを、ステップ１２の反対側の方の肉厚が薄くなるテーパー形にしているので、走行時にブロック１１に岩石等が衝突しても岩石を排斥しやすくなり、ブロック１１が損傷しにくくなる。また、ステップ１２の取付け片１２ｂの端部がブロック１１で覆われるため、取付け片１２ｂの破損も防止される。
【００２５】
本発明は、油圧ショベルのみでなく、ステップに岩石が衝突しやすい例えばブルトーザ等にも適用することができる。
【００２６】
【発明の効果】
本発明によれば、前記サイドフレームの外面に設けたブロックの前記取付け溝間の内側の位置で前記ステップをボルトにより前記サイドフレームに固定する構造としたので、岩石のボルト頭部への衝突が防止され、ステップのサイドフレームからの離脱が防止される。また、前記ブロックと前記サイドフレームとの間に上面開口のステップ取付け溝を形成し、前記ステップ取付け溝に、ステップの両端に設けた取付け片を上方から嵌め込み、前記取付け片を、前記サイドフレームにボルトにより固定したので、ステップ取付け時にステップを支えておく必要がなく、ステップの取付けが容易となる。
【００２７】
また、前記取付け片のボルトによる前記サイドフレームへの固定を解いた状態において、ステップの左右移動可能な範囲内では前記取付け片が前記取付け溝から離脱しない構造としたので、ボルトが切断されたり外れたりした場合でもステップのサイドフレームからの離脱が防止され、長期にわたりステップを利用することができる。また、ボルトが切断されてもステップが外れないので、ステップを頑丈にして岩石の衝突によっても変形しないように構成することができる。また、ステップの強度を上げることができるので、より長期使用が可能となる。
【図面の簡単な説明】
【図１】本発明による昇降ステップ装置を適用する建設機械の一例である油圧ショベルの一実施の形態を示す側面図である。
【図２】（Ａ）は本発明による昇降ステップ装置の一実施の形態の取付け構造を示す一部断面平面図、（Ｂ）はその正面図である。
【図３】（Ａ）は本発明による昇降ステップ装置の他の実施の形態の取付け構造を示す一部断面平面図、（Ｂ）はその正面図である。
【図４】（Ａ）は従来のステップの取付け構造の一例を示す平面図、（Ｂ）、（Ｃ）はそれぞれ従来のステップの取付け構造の他の例を示す平面図および側面図である。
【符号の説明】
１：走行体、１ａ：サイドフレーム、２：旋回装置、３：旋回体、４：昇降ステップ装置、５：ブロック、６：ステップ、６ａ：突出部、６ｂ：取付け片、７：ステップ取付け溝、９：ボルト、１１：ブロック、１２：ステップ、１２ａ：突出部、１２ｂ：取付け片、１３：ステップ取付け溝
【図１】
0003685379.tif 000002
【図２】
0003685379.tif 000003
【図３】
0003685379.tif 000004
【図４】
0003685379.tif 000005